(57)【要約】      （修正有）【課題】壁面に固定するに際して、壁面に対する家具類の固定位置に制約がない家具固定具を提供する。【解決手段】収納棚ａなど、壁面Ｗに沿って配置される家具Ａを壁面Ｗに固定する家具固定具１０であって、家具Ａを構成する板材１の壁面Ｗに直角に接する部分に固定される板材取着部２０と、板材取着部２０の壁面側端３１から壁面Ｗに対して傾斜して延出され、固定部材４２にて壁面Ｗに打ち込み又は捻じ込みによって固定される壁面取着部４０とで構成され、板材取着部２０と壁面取着部４０との角度が鈍角に形成されている。【選択図】図２
2014068834.tif 000002
【特許請求の範囲】
【請求項１】
壁面に沿って配置される家具を壁面に固定する家具固定具であって、
該家具を構成する板材の壁面に直角に接する部分に固定される板材取着部と、板材取着部の壁面側端から壁面に対して傾斜して延出され、固定部材にて壁面に打ち込み又は捻じ込みによって固定される壁面取着部とで構成され、
板材取着部と壁面取着部との角度が鈍角に形成されていることを特徴とする家具固定具。
【請求項２】
板材の壁面固定側辺に沿ういずれかの面の全長に切欠段部を凹成し、
前記切欠段部の凹段面に請求項１の家具固定具の板材取着部を取着すると共に壁面取着部を固定部材にて壁面に打ち込み又は捻じ込みによって取着することを特徴とする家具の壁面固定構造。
【請求項３】
請求項１の家具固定具の壁面取着部の、板材取着部からの高さを前記切欠段部の切欠深さより低く形成してなることを特徴とする請求項２に記載の棚板の壁面固定構造。
【請求項４】
請求項１の家具固定具にカバー取付具を更に立設し、切欠段部の開口部を被覆カバーで覆うと共にカバー取付具に被覆カバーを装着することを特徴とする請求項３に記載の棚板の壁面固定構造。
【発明の詳細な説明】
【技術分野】
【０００１】
本発明は、例えば部屋の壁面に棚板を１又は多段に固定して簡易に収納棚を構築するような場合や、収納家具を固定して地震発生時の転倒を防ぐ家具固定具及びこれら家具の壁面固定構造に関する。
【背景技術】
【０００２】
従来、リビングルームなどの部屋の壁面に棚板を取り付ける際は、Ｌ形状などの取付金具を介して横長の棚板を壁面に固定していた。しかし、棚板取付後は取付金具が棚板の上面或いは下面に露出していた。さらに、取付金具は壁面との間で十分な支持強度を確保するため柱、間柱、胴縁等の壁面の下地柱材と対応させる必要があり、棚板への取付金具の取付位置が予め決まっている場合には、棚板の壁面への取り付け位置が限定されていたし、取付金具と対応する壁面に下地柱材が無い場合は新たに下地柱材を追加しなければならなかった。
【０００３】
その取付例として、棚板の壁面固定側辺に一定厚さを残して上部側を切り欠いた半円形状凹部と、この半円形状凹部の板厚部分を、水平溝に挿通させて上下より挟持した状態で保持する半円形状のカバー手段とを棚板側に設けておき、壁面側には半円形状凸部の支持手段を固定しておき、該支持手段の上面に起立する軸状の嵌合凸部を、上述した半円形状凹部とカバー手段との重合部分に下方より貫通させて、これらを一体化することで棚板を壁面に固定する取付構造が提案されている(例えば特許文献１参照)。
【０００４】
この場合は棚板を支持する支持手段等が棚板の下側にはみ出して下部スペースを一部占有するだけでなく、その支持手段等が露出されて上記のように美観が損なわれていた。また、棚板は横長に設けられるため横方向の複数の取付位置で壁面に固定されることになる。このため、棚板に形成されている横方向の複数の半円形状凹部の横方向ピッチと、壁面側の間柱等の下地柱材との横方向の対応間隔（横方向ピッチ）が一致しない場合は適用できず、壁面への取り付けに上記のように制約を受ける。
【０００５】
また、他の取付例として、壁面の横方向に長いレールを固定し、このレールに棚板の係止部材を取付可能に係止させて棚板を任意の位置で壁面に固定させる壁面係止装置が提案されている(例えば特許文献２参照)。
【０００６】
しかし、この種のレールを用いた棚板の取付構造は大掛かりで部品点数が多いためコスト高となっていた。また、棚板の上方や下方にレールや支持部材が露出することになり、取付完成後の棚の美観が損なわれてしまう。よって、棚の美観を保つためにレールを壁面に固定した後は、そのレールの表面にさらにパネルを貼る必要が生じていた。
【０００７】
また、壁際に設置される収納家具では、最近では地震対策のために天井と収納家具の天板との間に突っ張り棒を入れることがなされているが、突っ張り棒が収納家具の天板から突っ立っていて美観に乏しく不評であった。
【先行技術文献】
【特許文献】
【０００８】
【特許文献１】特開２００５−１３７４８７号公報
【特許文献２】特開２００２−３６４１０３号公報
【発明の概要】
【発明が解決しようとする課題】
【０００９】
そこで本発明の主たる課題は、壁面に固定する棚板や収納家具等の家具類の壁面への固定位置について制約を受けることがなく、更には家具固定具を介して前記家具類を壁面に固定した時、その家具固定具が家具類の正面側から見えない、或いは殆んど見えないような固定構造にして美観を確保できる家具固定具及び該家具固定具を利用した家具の壁面固定構造を提供することを目的とする。
【課題を解決するための手段】
【００１０】
請求項１に記載した発明は、「収納棚ａや収納家具ｂなど、壁面Ｗに沿って配置される家具Ａを壁面Ｗに固定する家具固定具１０であって、
該家具Ａを構成する板材１の壁面Ｗに直角に接する部分に固定される板材取着部２０と、板材取着部２０の壁面側端３１から壁面Ｗに対して傾斜して延出され、固定部材４２にて壁面Ｗに打ち込み又は捻じ込みによって固定される壁面取着部４０とで構成され、
板材取着部２０と壁面取着部４０との角度が鈍角θに形成されている」家具固定具１０である。
【００１１】
請求項２に記載した発明は、「板材１の壁面固定側辺６１に沿ういずれかの面の全長に切欠段部６２を凹成し、
前記切欠段部６２の凹段面６３に請求項１の家具固定具１０の板材取着部２０を取着すると共に壁面取着部４０を固定部材４２にて壁面Ｗに打ち込み又は捻じ込みによって取着する」ことを特徴とする家具の壁面固定構造である。
【００１２】
請求項３に記載した発明は、請求項２に記載の家具の壁面固定構造において、「請求項１の家具固定具１０の壁面取着部４０の、板材取着部２０からの高さＨを前記切欠段部６２の切欠深さｈより低く形成した」ことを特徴とする家具の壁面固定構造である。
【００１３】
請求項４に記載した発明は、請求項３に記載の家具の壁面固定構造において、「家具固定具１０にカバー取付具２２を更に立設し、切欠段部６２の開口部を被覆カバー５０で覆うと共にカバー取付具２２に被覆カバー５０を装着する」ことを特徴とする家具の壁面固定構造である。
【発明の効果】
【００１４】
請求項１に記載の発明によれば、家具固定具１０の板材取着部２０が棚板６０に取着され、他方の壁面取着部４０が壁面Ｗに傾斜して取着される。これにより、家具固定具１０を介して棚板６０を壁面Ｗに固定させることができる。この時、板材取着部２０と壁面取着部４０との角度を鈍角θにして壁面取着部４０を壁面Ｗに対し傾斜姿勢で対向させるため、その傾斜姿勢の向きと直交する斜め方向から釘やビス等の固定部材４２を打ち込み或いは捻じ込んで壁面Ｗに固定するという取着作業が可能になる。特に、このように壁面Ｗに対し斜め方向から固定部材４２を打ち込み或いは捻じ込むことができるため、板材１の存在が邪魔にならず、十分に取着空間がとれ、板材１や壁面Ｗを傷付けることなく壁面取着部４０の取着作業を簡単化することができる。
【００１５】
更に、板材１に掛かる荷重（載荷荷重や地震の振動エネルギー）を考慮すると、垂直な壁面Ｗに略直角となる水平方向から固定部材４２で取着したときの支持強度よりも斜め方向からの支持強度が高くなるため、信頼性の高い固定構造となる。
【００１６】
また、家具固定具１０は一部品でシンプルな形状であると共に市販の釘やビス等の固定部材４２を用いるだけで固定構造を達成できるため、部品点数が少なく、確実に低コスト化を図ることができる。
【００１７】
請求項２に記載の発明によれば、板材１の壁面固定側辺６１に沿ういずれかの面（上面又は下面）の全長に切欠段部６２を凹成しているため、この切欠段部６２の全長、即ち板材１の全長が家具固定具１０の取付可能な位置となり、壁面Ｗの下地柱材Ｐと対応する板材１の取付位置を自由に選択して家具固定具１０を取り付けることができる。従って、家具固定具１０を下地柱材Ｐの既存の設置位置に対応させて取り付けることが可能になり、板材１の全長に複数取り付けられる家具固定具１０の取付位置に制約がなくなる。
【００１８】
さらにこの場合、切欠段部６２の開口部からその内方に家具固定具１０を入れて切欠段部６２内に沈み込ませ、この切欠段部６２内の凹段面６３上で板材取着部２０を固定部材２４で取着することができる。そして、家具固定具１０の壁面取着部４０が壁面Ｗに傾斜姿勢で対向しているため、その傾斜姿勢の向きと直交する斜め方向から固定部材４２を打ち込み或いは捻じ込んで壁面Ｗに固定すれば簡単に壁面Ｗに固定することができる。なお、板材１の表裏を反転させて板材１の切欠段部６２を下向きにして板材１の下面側から家具固定具１０を取り付けることもできる。
【００１９】
請求項３に記載の発明によれば、壁面取着部４０の高さＨを切欠段部６２の切欠深さｈより低く形成しているため、家具固定具１０の板材取着部２０及び壁面取着部４０が切欠段部６２の開放面、即ち板材１の上面又は下面より突出しない構成となっている。このため、家具固定具１０は板材１の中に隠れて家具Ａの正面側からは見えず美観を確保することができる。
【００２０】
請求項４に記載の発明によれば、板材１の壁面固定側辺６１に沿ういずれかの面に凹成されている切欠段部６２の開口部を被覆カバー５０で覆うことができるため板材１の表面に凹みが無くなり、意匠性を高めることができる。
【図面の簡単な説明】
【００２１】
【図１】本発明の家具固定具を用いて組み立てた収納棚を示す正面図である。
【図２】本発明の収納棚の側面図と家具固定具の使用状態の要部拡大縦断面図である。
【図３】図２のＸ−Ｘ矢視線上を示す平面図である。
【図４】本発明の家具固定具を上方から見た斜視図である。
【図５】本発明の家具固定具を下方から見た斜視図である。
【図６】本発明の家具固定具の側面図である。
【図７】本発明の家具固定具を収納家具に適用した斜視図である。
【発明を実施するための形態】
【００２２】
以下、本発明を図示実施例に従って説明する。本発明の家具固定具１０が適用される対象物は、壁面Ｗに直角に取り付けられて使用される家具Ａであって、例えば、１〜複数の棚板６０からなる収納棚ａや壁面Ｗに接して配置される収納家具ｂなどがその例に挙げられる。なお、家具Ａを構成する板材１の壁面Ｗに直角に接する部分の「直角」は、正確に９０°である必要はなく、ある程度の傾斜（例えば、１０°程度）は含まれる。図１は本発明の家具Ａの一例である収納棚ａの正面図、図２は本発明の家具固定具１０の使用状態を示す収納棚ａの側面図、図３は本発明の家具固定具１０の使用状態を示す収納棚ａの平面図である。
【００２３】
この収納棚ａは、図１に示すように長短複数の水平な板材１を壁面Ｗに直接固定して棚板６０とすると共にこの棚板６０の両サイド部分に４枚の側板２を配設し、さらに上部２段において、その中央部に中央側板２ａを配設し、床面Ｆから高さ方向に５段の収納空間の棚４を構成している。そして、図１の実施例では、左右両側の縦２列には正面扉５ａを備えた同形状の扉付き収納部５が設けられており、最上段とその下の段で中央側板２ａの両側に上扉無し収納部７が備えられている。さらに、上扉無し収納部７の下側の３段目と４段目は、棚板６０と中央側板２ａを除いた広い空間、例えばテレビ収納部となる中間扉無し収納部８を有している。この中間扉無し収納部８のさらに下側の５段目は引出し部、もしくは正面扉５a等の前面が閉じられた下収納部９として設けている。なお、収納棚ａの最上部には板材１を上下反転させて取り付けた天板３が備えられている。
【００２４】
側板２は、１段の棚高さを有して棚板６０毎に側面仕切用として設けられ、このうち１段目の側板２は床面Ｆ上に起立させた状態で該側板２の背面側を壁面Ｗに沿わせて設置している。そして、この１段目の側板２の上面に後述する１段目の棚板６０（板材１）が載せられる。
【００２５】
棚板６０に使用される板材１は、横長長方形の板材であり、そのまま用いてもよいが、図の実施例では板材１の背面側（壁面Ｗ対応側）となる壁面固定側辺６１に沿う上面全長に断面Ｌ形状に切り欠いた切欠段部６２（図２の円内参照）を設けている。この切欠段部６２の切り欠かれた凹段面６３に後述する家具固定具１０が取り付けられる。以下、切欠段部６２が形成されている場合を棚板６０（或いは板材１）の代表例として説明する。
【００２６】
上述の家具固定具１０は、図４〜図６に示すように、一枚の金属板を所定の形状に打ち抜くと共に折り曲げて水平方向の板材取着部２０と、垂直方向の起立接続部３０と、傾斜方向の壁面取着部４０との３方向の向きの異なる平面部を備えて構成したものである。勿論、垂直方向の起立接続部３０を省略して壁面取着部４０を板材取着部２０から延出させても良い。このうち、板材取着部２０は長方形状を有する水平面部２０ａを有し、この水平面部２０ａに固定部材２４の挿通用に貫通する例えば３個の長孔２１を長手方向に等隔に開口して設けている。これら長孔２１は壁面方向に長く伸びるように形成されている。さらに、板材取着部２０の長手方向の両端部には必要に応じてカバー取付具２２（先端が鏃状に形成されている）を立設させており、該カバー取付具２２の上端部に形成されている鏃状の山形係止部２３が後述する必要に応じて設けられる被覆カバー５０の係止垂片５１に係止される。
【００２７】
起立接続部３０は、板材取着部２０の壁面Ｗ側となる壁面側端３１より上向きに折曲して僅かに起立させた部分であり、上述した板材取着部２０と後述する壁面取着部４０との間を接続するものである。
【００２８】
上述の壁面取着部４０は、起立接続部３０の上端から壁面Ｗ側に傾斜したものであり、水平な板材取着部２０を基準として壁面取着部４０を鈍角θな傾斜角度（例えば１３５度）で延出させている。この傾斜した壁面取着部４０に固定部材４２の挿通用に貫通する例えば３個の傾斜取付孔４１を長手方向に等間隔に開口して設けている。
【００２９】
ここで使用される固定部材２４、４２は、釘やビスのように打ち込みや捻じ込みにて対象物を固定するものである。
【００３０】
必要に応じて設けられる被覆カバー５０は、家具固定具１０と対応する切欠段部６２の開口部を全長に亙って覆う平面視長方形状を有している。さらに、被覆カバー５０の壁面方向中央部の下面には逆凹形状の係止垂片５１を垂設している。該係止垂片５１がカバー取付具２２の上端部に形成されている山形係止部２３と上下方向で凹凸対応し、被覆カバー５０を上方から取り付ける際に、内側に折れ曲がった先端部分で弾性を持って挟み込み係止して連結するように設けている。
【００３１】
ところで、家具固定具１０は、切欠段部６２の切欠空間内に収まる大きさ、即ち、板材取着部２０からの高さＨが切欠段部６２の切欠深さｈより低く形成されており、切欠段部６２の切欠底部である凹段面６３に板材取着部２０がビス止めされて固定され、家具固定具１０の頂点である壁面取着部４０の上端が棚板６０の上面より出ない高さにしている。
【００３２】
さらに、上述した起立接続部３０は壁面取着部４０の傾斜開始位置及び取付高さ位置を高くして壁面取着部４０の取付作業性を高めるために立ち上げると共に、壁面取着部４０に掛かる取着時及び取着後の傾斜方向の負荷を考慮して起立接続部３０と壁面取着部４０との折曲部分の支持強度を、立ち上げることで確保している。
【００３３】
次に、収納棚ａを構築する場合は、まず、板材取着部２０の長孔２１にそれぞれ固定部材４２を垂直に通すように切欠段部６２の凹段面６３に仮止めにて捻じ込んで棚板６０に締結させる。これにより、家具固定具１０と棚板６０は予備的に一体化されるが、この場合、間柱などの下地柱材Ｐと設置しようとする収納棚ａとの位置関係を予め考慮して棚板６０の全長に亙って形成された切欠段部６２の最適に位置を選択して家具固定具１０を取着することになる。
【００３４】
次に、壁面Ｗと対応する床面Ｆ上に同一高さの側板２を並列して設置し（本実施例では４枚）、その上に家具固定具１０を取着した棚板６０を水平に置き、家具固定具１０を壁面Ｗに斜め上からビス止めして棚板６０を壁面Ｗに固定する。この時、家具固定具１０の板材取着部２０と棚板６０とは仮止めなので、壁面方向には移動可能であり、ビス止めにより最適位置に移動する。そして仮止めした固定部材２４を打ち込み或いは捻じ込んで棚板６０を壁面Ｗに固定する。
【００３５】
被覆カバー５０を用いる場合には、家具固定具１０の上方より被覆カバー５０を押し込んで取り付ける。この被覆カバー５０の押し込み時に下面に垂設されている両側の係止垂片５１が板材取着部２０より立設されている両側のカバー取付具２２の山形係止部２３に凹凸対応して被覆カバー５０が家具固定具１０に一体に連結されると同時に、家具固定具１０の上面が閉鎖される。このように被覆カバー５０の取り付けに際しては切欠段部６２の家具固定具１０より立設させたカバー取付具２２に被覆カバー５０の係止垂片５１を係止させて装着させれば簡単に取り付けることができる。
【００３６】
なお、切欠段部６２の内部空間（図２円内参照）は、家具固定具１０と被覆カバー５０との上下面と、凹段面６３の垂直面６４と壁面Ｗとの前後面とで囲まれる空間のうち、カバー取付具２２の立設位置を避けた空間をケーブル挿通空間６５として利用することができ、必要があれば、被覆カバー５０をする前にケーブルを棚板６０内に格納して配線することができる。このように最下段の棚板６０の取り付けが終わると、続いて、その棚板６０の上に同一高さの４枚の側板２を載せて上記のように固定する。
【００３７】
ここで、家具固定具１０の取付作業について更に説明すると、図３に示すように、壁面Ｗを形成している壁ボードＷ１の裏側に間柱などの下地柱材Ｐと対応するように棚板６０の切欠段部６２に固定された家具固定具１０を配置する。このとき、図２に示すように、家具固定具１０の向きは壁面取着部４０の傾斜した延出方向が壁面Ｗ側となる向きで切欠段部６２に沈み込んだ状態に配置される。
【００３８】
この板材取着部２０と棚板６０との取着作業は間柱Ｐとの対応をとって壁際と離れた位置で固定しておくのが適している。その後、壁面取着部４０の傾斜取付孔４１に固定部材４２を通して壁面Ｗの斜め上方から斜め下方に向けてねじ込み、壁ボードＷ１を貫通してその奥方の間柱Ｐに斜め下向きに締結する。これにより、棚板６０は家具固定具１０を介して壁面Ｗ側に固定される。なお、水平面部２０ａの固定部材用の孔は長孔２１であるから、板材取着部２０と壁面Ｗとの間隔は長孔２１により前述のように調整することになる。また、室内の天井近くに棚板６０と同形状を有する板材１を最上段の天板３とする場合は、家具固定具１０を取着する取付スペースが十分に取れない。このような場合は棚板６０を反転させて棚板６０の切欠段部６２を下向きにして棚板６０の下面側から取付操作することになる。
【００３９】
また、壁面Ｗの表面に図示しないシート材を貼着し、このシート材により壁面Ｗの不陸修正して棚板６０を安定して壁面Ｗに当接させるようにしてもよい。さらに、上述の実施例では１つの棚板６０に２個の家具固定具１０を設置する例を示したが、棚板６０の長さ及び間柱Ｐの対応数によって家具固定具１０を１個または２個以上を選択して設置するとよい。
【００４０】
上述したように、家具固定具１０の板材取着部２０を棚板６０に取着し、壁面取着部４０を壁面Ｗに取着することにより、家具固定具１０を介して棚板６０を壁面Ｗに固定することになるが、板材取着部２０と壁面取着部４０との角度を鈍角θにして壁面取着部４０を壁面Ｗに対し傾斜姿勢で対向させるため、その傾斜姿勢の向きと直交する斜め上方向（最上段の場合は斜め下方向）からの固定部材４２の打ち込み或いは捻じ込みによる固着作業が可能になる。棚板６０の壁面固定側辺６１の上面全長に切欠段部６２を凹成している場合でも、斜め上方向からの（最上段の場合は斜め下方向）からの固定部材４２の打ち込み或いは捻じ込みとなるので作業に支障を来たさない。
【００４１】
ことに、壁面Ｗへの取り付けに際しては斜め方向より取着作業ができるので、取り付けられる棚板６０自体の存在が邪魔にならず、棚板６０と壁面Ｗとの間に形成される直角に仕切られた空間に対し最も適した取着方向となると共に、限られた空間での最も広い取着空間がとれ、壁面取着部４０の取着作業を簡単化することができる。さらに、棚板６０の取付完成後においても斜め方向からの支持により棚板６０に掛かる荷重に対する支持強度が高くなり信頼性の高い固定構造が得られる。
【００４２】
また、棚板６０の壁面固定側辺６１の上面全長に切欠段部６２を凹成している場合には、この切欠段部６２の全長（棚板６０の全長）が家具固定具１０の取付可能な位置となり、この家具固定具１０を壁面Ｗの下地柱材（間柱Ｐ）の既存の設置位置に対応させて取り付けることができる。このため、棚板６０に取り付けられる各家具固定具１０の取付位置に制約がなくなり、取付自由度が高くなる。従って、下地柱材が少なくても柱を追加したり、補強する必要がなく、正確に間柱Ｐと家具固定具１０を対応させることができる。
【００４３】
さらに、家具固定具１０の高さを切欠段部６２の切欠深さより低く形成しているため、家具固定具１０の上部に形成されている壁面取着部４０が切欠段部６２の開放された上面より突出しない。このため、家具固定具１０は棚板６０の正面側から見えず、家具固定具１０が棚板６０の厚み内に収まった状態となって棚板６０の美観を確保することができる。また、棚板６０の切欠段部６２の開口部も被覆カバー５０で覆っているため棚板６０の表面に凹みが無くなり、意匠性を高めることができる。
【００４４】
次に、収納家具ｂに適用する場合を説明する（図７）。収納家具ｂは壁面Ｗに沿って配置されており、収納家具ｂの天板が本発明の板材１になり、収納家具ｂの天板の切欠段部６２に家具固定具１０の板材取着部２０がビス止めされ、壁面取付部４０が壁面Ｗにビス止めされる。収納家具ｂの天板には切欠段部６２が前述のように全長に亙って存在するため、天板の壁面固定側辺６１に沿う面のどの位置にでも家具固定具１０を取り付けることができ、取付位置の制約がない。このように家具固定具１０を取り付けておけば、地震発生時でも収納家具ｂが倒れるようなことがない。家具固定具１０の取り付け後は被覆カバー５０を取り付けることで家具固定具１０が隠される。
【００４５】
また、上述の実施例では家具固定具１０を収納棚ａや収納家具ｂに適用した例を示したが、これに限らず、ハンギング用のカウンターなどに家具固定具１０を用いても適用することができる。
【符号の説明】
【００４６】
１…板材                    ２…側板
２ａ…中央側板              ３…天板
４…棚                      ５…扉付き収納部
５ａ…正面扉                ７…上扉無し収納部
８…中間扉無し収納部        ９…下収納部
１０…家具固定具            ２０…板材取着部
２０ａ…水平面部            ２１…長孔
２２…カバー取付具          ２３…山形係止部
２４，４２…固定部材        ３０…起立接続部
３１…壁面側端              ４０…壁面取着部
４１…傾斜取付孔            ５０…被覆カバー
５１…係止垂片              ６０…棚板
６１…壁面固定側辺          ６２…切欠段部
６３…凹段面                ６４…垂直面
６５…ケーブル挿通空間      Ａ…家具
ａ…収納棚                  ｂ…収納家具
Ｆ…床面                    Ｗ…壁面
Ｗ１…壁ボード              Ｐ…下地柱材
θ…鈍角
【図１】
2014068834.tif 000003
【図２】
2014068834.tif 000004
【図３】
2014068834.tif 000005
【図４】
2014068834.tif 000006
【図５】
2014068834.tif 000007
【図６】
2014068834.tif 000008
【図７】
2014068834.tif 000009